(57)【特許請求の範囲】
【請求項１】
パターヘッドの上表面に、フェースに平行な平行線を等間隔に描いたゴルフパターであって、前記平行線は、等間隔のピッチに応じて線分長さを変えた複数種類の平行線であることを特徴とするゴルフパター。
【発明の詳細な説明】
【技術分野】
【０００１】
本発明は、パッティングのテンポ、ヘッドスピードが確認できるゴルフパターに関する。
【背景技術】
【０００２】
ゴルフのパッティングにおいて、毎回のストロークテンポを安定することは大切である。また、テークバック速度と切り返しの速度、すなわち往復のテンポを同じに保つことは上達の秘訣といわれている。ところが、この往復の速度、テンポを一定に保つことは、ヘッド速度を計測するわけでないので確認が困難である。速度を計測する機器があるとしても、専門的な計測機であろうし、ストロークのたびに計測が可能とは言えず、まして、グリーン上には持込みできない。感覚的にも理解できるかどうか分からない。一方、速度V＝距離L／時間Tの関係式は明らかであり、パッティングのテークバック長はおよそ１０ｃｍから３０ｃｍの間である。この往復の時間を同じとすれば同じテンポといえるが、速度は３倍となる。野球のスピードガン、ゴルフスイングのショット時のインパクト速度計測機器は開発されている。ただ、パッティング時の速度計測機器も開発済みとしても、持ち運びに不便であろうことは容易に想定できる。前２者は、スピードを競うためにも需要があるが、後者のパッティング時はスピードを必ずしも必要とするものではなく、往復のテンポを同一とするチェック、修正用といえるが、ゴルフ場には持込みできない。メトロノームで練習することも提唱されているがこれもあくまで練習にしか使えない。ワン・ツーのテンポは胸に刻むしかない。特許電子図書館でキーワード「ゴルフパター」、「テンポ」で検索した結果、０件、「ゴルフパター」、「残像」で検索した結果、１件であった。（特許文献１）は、パターヘッドの後方までパッティング方向の長い実線を描くもので、横揺れすると残像で実線がより太く見えるため矯正できるとしている。本願発明は、映画のコマの残像現象を利用した自分なりの最適テンポを取得するもので全く異なるものといえる。
【先行技術文献】
【特許文献】
【０００３】
【特許文献１】特開２００４−０２４７２２
【発明の概要】
【発明が解決しようとする課題】
【０００４】
パッティングにおいては、テンポが大切である。往復のテンポが合えば上達が早い。往復の速度、テンポが合えば特に速度を計測する必要、もしくは数値を知る必要がない。極端には、往復の速度が異なっているかなと自分自身で気づいていれば問題ない。その場合は毎回のストロークのテンポを一定に保つことが大事となる。ということは、テンポが一定なら、振幅が２倍になるとヘッドスピードは２倍になるということである。振幅が３倍ならヘッドスピードは３倍ということである。現実は果たしてそうか。１ストロークのその往復で同じテンポということではないのか。そこで、テンポとヘッドスピードの関係も知っておく必要があると思われる。テークバックの距離はおよそ１０ｃｍから３０ｃｍである。速度V＝距離L／時間Tの関係式がある。そのテークバックの距離に合わせて所要時間を測れば速度が分かるが、毎回異なるテークバックの大きさで対応することは困難である。測定器なら可能だが、人手で測るとなると長い距離と正確なストップウォッチが必要でとても正しい値が得られるとは考えづらい。実は、速度を測るのが目的ではなく、毎回のテンポを一定に保つことができればよいのである。しかし、胸で刻むワン・ツーのテンポだけで事足りるのか。テンポとヘッドスピードの関係を確認する方法をパターヘッド上で工夫できるとありがたい。パターフェース面に平行の線分を等間隔で設けるとテンポ、速度が分かる一助となる可能性がある。ところが、パターヘッドの長さの範囲内で等間隔の線分を設けるとしても、ストロークの大きな距離に対してパターヘッド上の等間隔線は密なため、時間を測るには適してない。そこで、人の目の残像現象に着目した。人の目には残像という錯覚がある。映画は残像現象を利用してコマ切れを連続に見せている。映画は１秒間に２４コマでできている。すなわち、２４コマを１秒間に映し出せば、残像が連続して連続映像に見える。このことは、パターヘッドに設けた１ｃｍ間隔の平行線を、２４ｃｍ分のテークバックを１秒かけて行えば線分が連続して帯状となって見えるといえる。この時のパターヘッドの速度は２４ｃｍ／秒である。間隔が１ｃｍ未満に密だと当然より鮮明な連続帯に見え、１ｃｍより広いと単なる線分のままに見える。すなわち、１ｃｍ間隔が連続帯の出現する境界間隔といえる。この連続体の出現する自分なりのストロークテンポを往復で同じに保つことができればストロークが安定する。ところが、ストロークテンポとパッティング速度の関係がよく分からない。例えば、カップまでのパッティング距離が１０ｍ以上の長距離、５m程度の中距離、２ｍ以下の短距離、すなわち、ロングパット、ミドルパット、ショートパットに区分して、テンポが同じといっても、それぞれのテークバックの振幅は大、中、小と明らかに異なる。すなわち、ヘッドスピードは振幅が大となると速くなると思われる。
【０００５】
２０１４年１１月１３日と、２０日のNHK番組の「パット世界記録に挑戦」でパターヘッド速度が計測器で測られていた。映像からパッティング距離１０ｍで２．１ｍ／秒、２．５ｍ／秒、パッティング距離３３．５ｍで５．７８６ｍ／秒、６．３６４ｍ／秒であった。このことから、ホールまでの距離が長いほどヘッドスピードが大となっている。すなわち、パッティングのスピードは距離により一定でないといえる。ところが、これにはストローク長も大きくなっている。すなわち、このヘッドスピードを出すためにはそれなりの長いストロークを必要とする。１０ｃｍの短いストロークではこのスピードは出ない。NHK番組の１０ｍ以上のパッティングで、ヘッドスピードを２４コマで割ると１コマの長さは８．７５ｃｍ、１０．４ｃｍ、２４．１ｃｍ、２６．５ｃｍとなる。ところが、これらの長さをパターヘッド上に描くには、一般的なパターヘッドの長さを超えている。しかしながら、１コマをこれらより密な間隔とすると当然連続の帯に見える。そして、より鮮明に見える。そこで、逆の試みとして、簡易に平行線間隔を１ｃｍ、２ｃｍ、３ｃｍ、４ｃｍ、５ｃｍ、０．５インチ、１インチ、２インチとし、連続像、連続帯に見えるようにストロークしてみると、いずれもそれなりに見える。２４コマとして速度を逆算すると、２４ｃｍ／秒、４８ｃｍ／秒、７２ｃｍ／秒、９６ｃｍ／秒、１２０ｃｍ／秒、１２インチ／秒、２４インチ／秒、４８インチ／秒である。これらは、NHK番組の２．１ｍ／秒より明らかに小さく、すなわちパッティング距離１０ｍ以下の場合のヘッドスピードといえる。しかしそれでも、コマが密で残像の境界ぎりぎりでなく、余裕でクリアしているので連続がより鮮明に見え、その自分なりの鮮明度がロングパットのテンポの目安に役立つといえる。テレビや動画では３０コマ／１秒が採用されている。２４コマ／１秒より明らかに鮮明である。すなわち、より密なコマ間隔とすれば無駄というわけでなく、残像現象の境界が鮮やかさとなって現れる。そこで、パターヘッドに刻む等間隔の平行線は、長さの基本単位であるｃｍとかインチ、を基本とすることが日常的な感覚もありなじみ易い。この間隔一定のパターフェース面に平行の線分を、約１ｃｍ間隔にパターヘッド上に描けば、すなわち、１ｃｍ間隔の平行線とすれば残像現象の線が帯で見えるかの境界が一つのテンポの目安となり、練習を重ねれば往復で最適テンポを一定に保つことができるといえる。テンポは人によって異なる。平行線の間隔は１．１ｃｍでも１．２ｃｍでも１．５ｃｍでも良い。１インチ＝２．５４ｃｍ、０．５インチでも良い。それらに類した間隔でも良い。それが一つの目安となり、自分なりのテンポを身につけることができる。逆に、０ｃｍと、飛ばして５ｃｍにマークを貼って５ｃｍ長とし、長い距離の残像となるテンポ、速いヘッドスピードを会得するのも楽しい。
【０００６】
別の観点から考えてみる。パットでは、毎分６０ビートのテンポがプロ、アマに関係なく良いといわれている。仮に、ショートパットの短い距離を、１２ｃｍでテークバックしてそれを１ビートとし、２で切り返してインパクトするテンポだと、ヘッドスピードは、１２ｃｍ／秒である。これを２４コマ／秒に刻むとすれば１コマは１２ｃｍ／２４＝０．５ｃｍとなる。もう少し大きいテークバックのミドルパットの中距離を、テークバック２４ｃｍでも同様のテンポとすればヘッドスピードは２４ｃｍ／秒で、１コマは２４ｃｍ／２４＝１．０ｃｍとなる。さらに大きいテークバックのロングパットの長距離を、テークバック３６cmとすればヘッドスピードは３６ｃｍ／秒で、１コマは３６ｃｍ／２４＝１．５ｃｍとなる。すなわち、テンポが同じということは距離の倍数に比例してヘッドスピードが上がり、残像となる１コマの長さも長くなることが分かる。海外だと、インチなので、１０インチの２５．４ｃｍのテークバックとすれば、２５．４／２４≒１．１インチとなる。この場合、１コマはおおむね１インチといえる。一方で、パットの振幅を２倍にするとパターの速度は√２倍になるといわれている。１２ｃｍのテークバックで１２ｃｍ／秒とすれば、２４ｃｍのテークバックでは√２＊１２＝１７．０ｃｍ／秒となり、前出の２４ｃｍ／秒より遅いヘッドスピードとなっている。この場合の１コマは前出の１．０ｃｍでなく１７ｃｍ／２４＝０．７ｃｍと小さくなる。３６ｃｍのテークバックでは１２ｃｍに対して３倍だが関係式が不明なのでここでは省略するが、同じく１コマが１．５ｃｍより小さくなる。この場合でも、常にテンポが同じだとヘッドスピードがテークバックの振幅距離に応じて大きくなることが分かる。ただし、同じテンポで振幅が２倍となれば速度も２倍となるはずなので、テンポを一定に保つということが矛盾しているのか厳密に可能なのかが分からない。ともかく現場では、自分なりに納得いくテンポでストロークするということになりそうだ。例えば、長距離用１０ｍ以上、中距離用５m程度、短距離用２ｍ以下、すなわち、ロングパット用、ミドルパット用、ショートパット用として、大、中、小の３種類のコマ間隔の３本のパターを用意すればおおむね対応できるが現実的でない。そこで、１本のパターヘッドに３種類の間隔となるよう組み合わせてみるのも面白い。肝心なのは、テークバックと切り返しのテンポを同じに保ち、打ち急がないことといえる。パットのテンポも色々と試す必要がある。大切なことは、自分に最適なテンポを見つけることといえる。残像現象を利用すれば、１コマの独立した各種等間隔の平行線が連続画像として連続の帯に見え、境界となるテンポ、ヘッドスピードが分かり、自分なりに最適なテンポを身につけることができ課題の解決ができるといえる。
【課題を解決するための手段】
【０００７】
このような課題を解決するために、本発明のゴルフパターは、パターヘッドの上表面に、フェースに平行な基準の平行線をフェース近傍に設け、その後方の背面に向かって等間隔で平行線を描いたことを特徴とする。
【０００８】
また、本発明のゴルフパターは、パターヘッドの上表面に、フェースに平行な平行線を等間隔に描いたゴルフパターであって、前記平行線は、等間隔のピッチに応じて線分長さを変えた複数種類の平行線であることを特徴とする。
【０００９】
また、本発明のゴルフパターは、パターヘッドの上表面に描いた前記平行線を着色、模様または図形で表示したこと、または前記平行線間を着色、模様または図形で区分けしたこと、あるいは前記平行線を設けず着色、模様または図形を等間隔に設けたことを特徴とする。
【発明の効果】
【００１０】
テンポを測るメトロノームなどの機械器具を必要とせず、コースに携帯するパターそのものでチェックできる。自分なりに会得したテンポ、ヘッドスピードが各ホールのグリーン上の距離に応じて素振りで再現できる。テンポは、季節の気温、風雨の外的条件、体調、パートナー、スコアの状況などラウンド中にも変わるといって過言でない。この本発明の残像を利用した平行線分は、目で確認するだけでテンポ、ヘッドスピードが分かり、しかも往復のテンポを合わせるようにチェックすると、そのことで毎回のストロークがより安定する。その素振りテンポで打てばこんなに楽なことはなく１日中楽しい。いうまでもなくパッティングのテンポを一定に保つことは、プロ、アマ、問わずいいスコアを出す秘訣。パットが決まると自信が生まれ、ショットにも好影響となり当然にスコアが飛躍的に良くなる。
【図面の簡単な説明】
【００１１】
【図１】パターヘッドの上表面に描いた基準の平行線と１ｃｍの等間隔の平行線の上面図
【図２】図１の平行線の間隔を０．５ｃｍと密にし、線分の長さを変えた平行線の上面図
【図３】０．５ｃｍ、１．０ｃｍ、１．５ｃｍの３種類の等間隔のピッチに応じて線分長を変えた平行線の上面図
【図４】０．５ｃｍ、１．０ｃｍ、１．５ｃｍ、２．０ｃｍの４種類の等間隔のピッチに応じて線分長を変えた平行線の上面図
【図５】図１の平行線の間を赤白で交互に着色した上面図
【図６】図２の等間隔の平行線間に三角形を描き、赤着色した上面図
【図７】図１の等間隔の平行線の第１線、第４線、第７線の後方に三角形を描き、白着色した上面図
【図８】後方に台形とした上面図
【図９】後方に図８の逆台形とした上面図
【図１０】交差した２つの３角形とした上面図
【図１１】２つの３角形の底辺が中央で一致する菱形とした上面図
【発明を実施するための形態】
【００１２】
自分なりに着色し、またはシール貼りをしてもよい。平行線間を交互に着色すれば、混ぜ合わせた色になる。例えば赤と白を交互に繰り返せばピンク色になる。赤と黄なら橙色に、赤と青なら緑色となり、その色になるテンポ合わせも楽しいものとなる。線分の長さを変えてみるのも楽しい。短い線分を密に長い線分を粗に配置すると、遅い速度では、細い帯状に見え、スピードを上げていくとやがて太い帯状に見える。もちろん、個人のゴルファーによってストローク速度が異なる。そこで、１ｃｍを等間隔の基本として、その中間に等間隔の平行線を分割挿入すれば、ある程度の各種パターンを得ることができる。個人にあったストローク速度を幅広く求めると、より一般的パターンを製造することができるし、個人固有の注文もできる。基準の平行線、等間隔の平行線があれば個人でシールを貼って楽しむことができる。自分で最適テンポを見出すのもゴルファーにとって楽しい時間といえる。
【実施例１】
【００１３】
図１にパターヘッドの上表面に、基準の平行線から１ｃｍ間隔に等間隔の平行線を描いたパターを示す。ヘッドスピードが大きくなるに従って、線の長さ相当の幅の帯となって見え始め、より鮮明度が高まる。
【実施例２】
【００１４】
図２にパターヘッドの上表面に、基準の平行線から０．５ｃｍ間隔の等間隔の平行線を描いたパターを示す。同じヘッドスピードでも平行線の間隔を狭めることでより鮮明度が高まる。
【実施例３】
【００１５】
図３に、０．５ｃｍ、１．０ｃｍ、１．５ｃｍの３種類の等間隔のピッチに応じて線分長を変えた平行線の上面図を示す。ショートパット用、ミドルパット用、ロングパット用として応用できる。ヘッドスピードが大きくなるに従って、線分の長さ相当の幅、加算された幅の帯となり、細い帯、中程度の帯、太い帯に順次見え始める。
【実施例４】
【００１６】
図４に、０．５ｃｍ、１．０ｃｍ、１．５ｃｍ、２．０ｃｍの４種類の等間隔のピッチに応じて線分長を変えた平行線の上面図を示す。ショートパット用、ミドルパット用、ロングパット用、超ロングパット用として応用できる。ヘッドスピードが大きくなるに従って、線の長さ相当の幅の帯となり、細い帯、中程度の帯、中程度の帯、太い帯、より太い帯に順次見え始める。
【実施例５】
【００１７】
図５に、図１の平行線の間を赤白で交互に着色した上面図を示す。残像現象が出始めるとピンク色の帯となり、見た目にも楽しい１日になりそう。自分なりに着色し、あるいはシール貼りを変えてもよい。赤と黄なら橙色に、赤と青なら緑色となり、その色になるテンポ合わせも楽しいものとなる。
【実施例６】
【００１８】
図６に、図２の等間隔の平行線間に三角形を描き、赤着色した上面図を示す。残り部を白色とすれば、ヘッドスピードが遅いときは中央が濃い赤となるが、ヘッドスピードが上がるとトー、ヒール方向の白と混合し、また両端になるにしたがい淡いピンクとなる。三角形は、シールとして自分なりの色、間隔で別途貼ってもよい。
【実施例７】
【００１９】
図７に、図１の等間隔の平行線の第１線、第４線、第７線の後方に三角形を描き、白着色した上面図を示す。残像現象の出現となるヘッドスピードで白い帯となる。
【実施例８】
【００２０】
図８に、後方に台形とした上面図を示す。ヘッドスピードが増すと他の背景色と混合してくる。
【実施例９】
【００２１】
図９に、後方に図８の逆台形とした上面図を示す。ヘッドスピードが増すと他の背景色と混合してくる。
【実施例１０】
【００２２】
図１０に、交差した２つの３角形の上面図を示す。ヘッドスピードが増すと他の背景色と混合してくる。
【実施例１１】
【００２３】
図１１に、２つの３角形の底辺が中央で一致する菱形の上面図を示す。ヘッドスピードが増すと他の背景色と混合してくる。
【符号の説明】
【００２４】
１  パターヘッド
２  パターヘッドのフェース部
３  パターヘッドのシャフト部
４  パターフェース近傍に設けた、フェースに平行な基準の平行線
５  後方背面方向に等間隔の平行線
６  等間隔のピッチとした平行線
７  赤の着色ゾーン
８  白の着色ゾーン
９  平行線間の三角形
１０  後方の台形
１１  １０の逆台形
１２  交差する三角形
１３  底辺を共有した三角形からなる菱形
【図１】
0006368891.tif 000002
【図２】
0006368891.tif 000003
【図３】
0006368891.tif 000004
【図４】
0006368891.tif 000005
【図５】
0006368891.tif 000006
【図６】
0006368891.tif 000007
【図７】
0006368891.tif 000008
【図８】
0006368891.tif 000009
【図９】
0006368891.tif 000010
【図１０】
0006368891.tif 000011
【図１１】
0006368891.tif 000012